(57)【要約】      （修正有）【課題】簡便な構成で、軟弱な地面や降雪時、凍結時などの歩行時の安全性を向上させ、坂路や法面などの斜面においても安全性を確保し、草刈り等の作業の安全性と利便性を確保出来る滑り止め器具を提供する。【解決手段】剛性を有し、蝶番２を介して屈曲するように連結された２つの部材１を有し、剛性を有する２つの部材１は底面に複数の螺子部４を有し、且つ剛性を有する２つの部材１は蝶番２で屈曲可能に接合され、螺子部４にはこれに嵌合する取り外し可能な部品とを備え、さらに剛性を有する２つの部材１はそれぞれ複数の側面ホールドを兼ねる係止紐通し部３を備え、剛性を有する２つの部材１は係合されて足形の形状となるように構成され、剛性を有する２つの部材１は底面に複数の螺子部４に嵌合する取り外し可能な部品は取付後に外部に突出する部分を有して滑り止め効果を為し、係合された剛性を有する２つの部材１を係止紐により足裏、靴裏或いは足袋裏に装着して用いる。【選択図】図１
0003199123.tif 000002
【実用新案登録請求の範囲】
【請求項１】
履物の底面に装着する滑り止め器具であって、
剛性を有し、蝶番を介して屈曲するように連結された２つの部材を有し、
該剛性を有する２つの部材は底面に複数の螺子部を有し、
且つ該剛性を有する２つの部材は蝶番で屈曲可能に接合され、
該螺子部にはこれに嵌合する取り外し可能な部品とを備え、
さらに該剛性を有する２つの部材はそれぞれ複数の側面ホールドを兼ねる係止紐通し部を備え、
該剛性を有する２つの部材は係合されて足形の形状となるように構成され、
該剛性を有する２つの部材は底面に複数の螺子部に嵌合する取り外し可能な部品は取付後に外部に突出する部分を有して滑り止め効果を為し、
該係合された剛性を有する２つの部材を係止紐により足裏や、長靴、革靴、スニーカー等の靴裏或いは地下足袋の足袋裏に装着して用いることを特徴とする、
滑り止め器具。
【請求項２】
該剛性を有する２つの部材及び蝶番は、金属製であることを特徴とする、
請求項１記載の滑り止め器具。
【請求項３】
該剛性を有する２つの部材の蝶番による連結部は、土踏まず部分に配置されることを特徴とする、
請求項１又は２記載の滑り止め器具。
【請求項４】
該螺子部に嵌合する取り外し可能な部品は、中間にナット部を有する両側螺子であることを特徴とする、
請求項１記載の滑り止め器具。
【請求項５】
該螺子部に嵌合する取り外し可能な部品は、中間にナット部を有し、片側が螺子であり且つ逆側は略三角錐或いは略円柱状の形状であることを特徴とする、
請求項１記載の滑り止め器具。
【請求項６】
該螺子部に嵌合する取り外し可能な部品に、さらに筒状の部材を装着して用いることを特徴とする、
請求項４又は５記載の滑り止め器具。
【請求項７】
該螺子部に嵌合する取り外し可能な部品に装着する筒状の部材は、軟質プラスチックによりなることを特徴とする、
請求項６記載の滑り止め器具。
【請求項８】
該剛性を有する２つの部材の複数の側面ホールドを兼ねる係止紐通し部は、蝶番により連接される２つの部材のうち爪先側の部材に於いてはその高さが２０mm乃至４０mmの範囲にあり、踵側の部材に於いてはその高さが３０mm乃至５０mmの範囲にあることを特徴とする、
請求項１乃至７のうちの一に記載の滑り止め器具。
【請求項９】
該係止紐は、該剛性を有する２つの部材の複数の側面ホールドを兼ねる係止紐通し部を通して、足先部分の部材側において足の甲部をホールドし、さらに踵部分の部材側は足首をホールドして固定することを特徴とする、
請求項１記載の滑り止め器具。
【請求項１０】
該係止紐は、平紐であって、その一部にパッド部品を備えることを特徴とする、
請求項９記載の滑り止め器具。
【考案の詳細な説明】
【技術分野】
【０００１】
本考案は、簡便な構成で、軟弱な地面や降雪時、凍結時などの歩行時の安全性を向上させ、坂路や法面などの斜面においても安全性を確保し、草刈り等の作業の安全性と利便性を確保出来る滑り止め器具に関するものである。
【背景技術】
【０００２】
従来から、ゴム製の部材にスパイクを設置し、靴の上から装着する滑り止めや、靴底に滑り止め金具を備えた滑り止め靴などが用いられている。
【先行技術文献】
【特許文献】
【０００３】
【特許文献１】特開平１１ー１５５６０７号公報
【特許文献２】特開平８ー２０５９０８号公報
【特許文献３】特開２０１３ー５９６７号公報
【考案の概要】
【考案が解決しようとする課題】
【０００４】
靴底に滑り止め金具を備えた滑り止め靴は乾燥路面、舗装路面などでは歩きにくく、その際に滑り止め金具を収納したり取り外すのは機構的に複雑になって手間がかかり不便であるとともにコストアップにつながっていた。
【０００５】
また、ゴム製の部材にスパイクを設置し、靴の上から装着する滑り止めは、簡易に滑り止め効果が得られ、乾燥路面、舗装路面などではすぐに取り外すことができるため便利である。
【０００６】
しかし、ゴム製の部材にスパイクを設置し、靴の上から装着する滑り止めは、ゴム部材の変形によって滑り止め効果が損なわれたり、特に坂路や法面などの斜面においては安全性の確保が難しかった。
【課題を解決するための手段】
【０００７】
本考案は、これらの課題を解決するために為されたものであり、履物の底面に装着する滑り止め器具であって、剛性を有し、蝶番を介して屈曲するように連結された２つの部材を有し、該剛性を有する２つの部材は底面に複数の螺子部を有し、且つ該剛性を有する２つの部材は蝶番で屈曲可能に接合され、該螺子部にはこれに嵌合する取り外し可能な部品とを備え、さらに該剛性を有する２つの部材はそれぞれ複数の側面ホールドを兼ねる係止紐通し部を備え、該剛性を有する２つの部材は係合されて足形の形状となるように構成され、該剛性を有する２つの部材は底面に複数の螺子部に嵌合する取り外し可能な部品は取付後に外部に突出する部分を有して滑り止め効果を為し、該係合された剛性を有する２つの部材を係止紐により足裏や、長靴、革靴、スニーカー等の靴裏或いは地下足袋の足袋裏に装着して用いることを特徴とする、滑り止め器具である。
【０００８】
また本考案は、該剛性を有する２つの部材及び蝶番が金属製であることを特徴とし、該剛性を有する２つの部材の蝶番による連結部が土踏まず部分に配置されることを特徴とする。
【０００９】
また本考案は、該螺子部に嵌合する取り外し可能な部品が中間にナット部を有する両側螺子であることを特徴とし、該螺子部に嵌合する取り外し可能な部品は、中間にナット部を有し、片側が螺子であり且つ逆側は略三角錐或いは略円柱状の形状であることを特徴とする。さらに本考案は、該螺子部に嵌合する取り外し可能な部品に、さらに筒状の部材を装着して用いることを特徴とし、該螺子部に嵌合する取り外し可能な部品に装着する筒状の部材は、軟質プラスチックによりなることを特徴とする。
【００１０】
また本考案は、該剛性を有する２つの部材の複数の側面ホールドを兼ねる係止紐通し部は、蝶番により連接される２つの部材のうち爪先側の部材に於いてはその高さが２０mm乃至４０mmの範囲にあり、踵側の部材に於いてはその高さが３０mm乃至５０mmの範囲にあることを特徴とする。さらに本考案は、該係止紐は該剛性を有する２つの部材の複数の側面ホールドを兼ねる係止紐通し部を通して足先部分の部材側において足の甲部をホールドし、さらに踵部分の部材側は足首をホールドして固定することを特徴とし、また、該係止紐は、平紐であって、その一部にパッド部品を備えることを特徴とする。
【考案の効果】
【００１１】
本考案の滑り止め器具は、簡便な構成で、軟弱な地面や降雪時、凍結時などの歩行時の安全性を向上させ、坂路や法面などの斜面においても安全性を確保し、草刈り等の作業の安全性と利便性を確保出来る滑り止め器具を提供し、産業上もローコストで安全且つ有用な器具を実現出来るという利点がある。
【図面の簡単な説明】
【００１２】
【図１】図１は、本考案に係る滑り止め器具の基本的な構成を示す図面代用写真である。（実施例）
【図２】図２は、本考案にかかる滑り止め器具の底面の一例を示す図面代用写真である。
【図３】図３は、本考案にかかる滑り止め器具の底面の他の例を示す図面代用写真である。
【図４】図４は、本考案にかかる螺子部に嵌合する取り外し可能な部品の例を示す図面代用写真である。
【図５】図５は、本考案にかかる螺子部に嵌合する取り外し可能な部品に装着して用いる筒状の部材を装着した状態を示す図面代用写真である。
【図６】図６は、本考案にかかる滑り止め器具の装着方法を示す図面代用写真である。
【考案を実施するための形態】
【００１３】
以下、本考案を実施するための形態を図面を用いて説明する。
【実施例】
【００１４】
図１は、本考案に係る滑り止め器具の基本的な構成を示す図面代用写真である。
【００１５】
本考案は、履物の底面に装着する滑り止め器具であって、剛性を有し、蝶番２を介して屈曲するように連結された２つの部材１を有し、該剛性を有する２つの部材は底面に複数の螺子部４を有し、且つ該剛性を有する２つの部材は蝶番で屈曲可能に接合され、該螺子部にはこれに嵌合する取り外し可能な部品とを備え、さらに該剛性を有する２つの部材はそれぞれ複数の側面ホールドを兼ねる係止紐通し部３を備え、該剛性を有する２つの部材は係合されて足形の形状となるように構成され、該剛性を有する２つの部材は底面に複数の螺子部に嵌合する取り外し可能な部品は取付後に外部に突出する部分を有して滑り止め効果を為し、該係合された剛性を有する２つの部材を係止紐により足裏や、長靴、革靴、スニーカー等の靴裏或いは地下足袋の足袋裏に装着して用いることを特徴とする、滑り止め器具である。
【００１６】
本実施例においては、剛性を有し、蝶番を介して屈曲するように連結された２つの部材、蝶番及び側面ホールドを兼ねる係止紐通し部は鉄製にて構成した。なお、これらは装着して歩行するにあたって十分な剛性を有するものであれば金属以外の材料で構成してもよく、硬質プラスチックなどで製造しても良い。
【００１７】
本実施例においては、該螺子部に嵌合する取り外し可能な部品は、中間にナット部を有し、片側が螺子であり且つ逆側は略三角錐の部材を用いている。これにより、特に凍結した路面や雪上、氷上などで安全性を確保するのに有効である。なお、該螺子部に嵌合する取り外し可能な部品は、剛性を有する２つの部材と整合する材料であることが望ましく、本実施例では金属製のものを用いたが、双方を硬質プラスチックなどで製造しても良い。
【００１８】
図２は、本考案にかかる滑り止め器具の底面の一例を示す図面代用写真である。図２においては、該剛性を有する２つの部材の蝶番による連結部が土踏まず部分に配置されることが見て取れる。また、本図面代用写真においては螺子部に嵌合する取り外し可能な部品が中間にナット部を有し、片側が螺子であり且つ逆側は略三角錐である。該取り外し可能な部品を取り外した部位を５に示す。
【００１９】
図３は、本考案にかかる滑り止め器具の底面の他の例を示す図面代用写真である。図３においては、螺子部に嵌合する取り外し可能な部品が中間にナット部を有する両側螺子である。かかる構成でも、十分な安全性を確保できる。
【００２０】
図４は、本考案にかかる螺子部に嵌合する取り外し可能な部品の例を示す図面代用写真である。図４においては、螺子部に嵌合する取り外し可能な部品は中中間にナット部を有し、片側が螺子であり且つ逆側は略三角錐である。かかる部材を用いれば、雪上、氷上或いは凍結路面でも安全性を確保できるだけでなく、坂路や法面などの斜面においても安全性を確保出来る。
【００２１】
図５は、螺子部に嵌合する取り外し可能な部品に装着して用いる筒状の部材を装着した状態を示す図面代用写真である。なお、部材は軟質プラスチックである。かかる部材の装着により、滑り止め効果を失わずに舗装面等での歩行を容易にすることができる。
【００２２】
図６は、本考案にかかる滑り止め器具の装着方法を示す図面代用写真である。係止紐５を、該剛性を有する２つの部材の複数の側面ホールドを兼ねる係止紐通し部を通して、足先部分の部材側において足の甲部をホールドし、さらに踵部分の部材側は足首をホールドして固定する。このように紐掛けすることにより、安全性を確保しつつ、十分なホールド性を実現することができる。また、複数の側面ホールドを兼ねる係止紐通し部３の配置と形状により、さらにホールド性を向上させている。
【００２３】
係止紐５は、平紐が望ましいが、その一部にパッド部品を備えることも有効である。これにより、ホールド部の擦れなどを防止し、装着を快適することができる。
【００２４】
以上述べて来たように、本考案の滑り止め器具は、簡便な構成で、軟弱な地面や降雪時、凍結時などの歩行時の安全性を向上させ、坂路や法面などの斜面においても安全性を確保し、草刈り等の作業の安全性と利便性を確保出来る滑り止め器具を提供し、産業上もローコストで安全且つ有用な器具を実現出来、以て社会と産業に貢献しうるものである。
【符号の説明】
【００２５】
１    剛性を有する部材
２    蝶番
３    側面ホールドを兼ねる係止紐通し部
４    螺子部
５    係止紐
【図１】
0003199123.tif 000003
【図２】
0003199123.tif 000004
【図３】
0003199123.tif 000005
【図４】
0003199123.tif 000006
【図５】
0003199123.tif 000007
【図６】
0003199123.tif 000008